(57)【要約】【課題】本発明は、レンズ交換式カメラのレンズ装置の大きさに応じて発光部を最適な位置に配置することができるストロボ装置を提供する。【解決手段】本発明のレンズ装置１０は、基部２０と基部２０にヒンジ２０を介して傾動自在に連結されたストロボ本体部２４とから構成される。サイズの小さいレンズ装置１２をカメラ本体１４に装着した場合は、ストロボ本体部２４を基部２０に対して水平方向に倒伏させて放電管３４を被写体に向け、放電管３４のストロボ光がレンズ装置１２にケラレないようにする。また、サイズの大きいレンズ装置１６をカメラ本体１４に装着した場合であって、倒伏位置にある放電管３４ではストロボ光がレンズ装置１６にケラレる場合には、ストロボ本体部２４を起立させて放電管３６を被写体に向け、放電管３６のストロボ光がレンズ装置１６にケラレないようにする。【選択図】      図１
2006171192.tif 000002
【特許請求の範囲】
【請求項１】
カメラ本体に角度調整自在に連結されるとともに、一つの収納ケース内にある発光方向の異なる複数の発光部を備えたストロボ本体部を有することを特徴とするストロボ装置。
【請求項２】
カメラのストロボ取付部に取り付けられる基部と、
前記基部に角度調整自在に連結されるとともに、一つの収納ケース内にある発光方向の異なる複数の発光部を備えたストロボ本体部とを有することを特徴とするストロボ装置。
【請求項３】
前記一つの収納ケース内にある複数の発光部は、第１の発光部と第２の発光部とから構成され、第１の発光部の発光方向と第２の発光部の発光方向とが直交されていることを特徴とする請求項１又は２に記載のストロボ装置。
【請求項４】
前記第１の発光部、第２の発光部を選択的に発光させる選択手段が設けられていることを特徴とする請求項３に記載のストロボ装置。
【請求項５】
前記基部に対する前記ストロボ本体部の角度を検出するセンサと、
前記センサによって検出された傾斜角度に基づいて前記第１の発光部及び／又は第２の発光部を発光させる制御部とが設けられていることを特徴とする請求項３に記載のストロボ装置。
【請求項６】
前記第１の発光部及び第２の発光部の前面には、Ｌ字状に形成されたフレネルレンズ、又はＬ字状に配置されたフレネルレンズが設けられていることを特徴とする請求項３、４又は５のうちいずれか一つに記載のストロボ装置。
【請求項７】
通常撮影とバウンス撮影とを切り換える切換手段が設けられていることを特徴とする請求項１、２、３、４、５又は６のうちいずれか一つに記載のストロボ装置。
【発明の詳細な説明】
【技術分野】
【０００１】
本発明はカメラに取り付けられるストロボ装置に係り、特にレンズ交換式カメラのレンズ装置の大きさに応じて発光部を最適な位置に配置可能なストロボ装置に関する。
【背景技術】
【０００２】
特許文献１には、ストロボ装置が内蔵された一眼レフレックスカメラが開示されている。このカメラは、カメラ本体の上部に突出して配置されているファインダ光学系のペンタプリズムよりもストロボ装置を前方に配置されている。また、このストロボ装置は、ヒンジにより起伏可能なアームの先端に発光部が設けられ、使用時にアームを起立させて発光部をカメラ前方に向けて開成する。これにより、前記ペンタプリズムに起因するストロボ光のケラレを防止している。
【０００３】
また、カメラ本体の上部に設けられたホットシューを介してストロボ装置をカメラ本体に着脱自在に取り付け、カメラのシャッターの開閉に連動して発光部を発光させる外付けのストロボ装置も知られている。
【特許文献１】特開平１１−１８３９７３号公報
【発明の開示】
【発明が解決しようとする課題】
【０００４】
しかしながら、特許文献１のストロボ装置では、サイズの小さいレンズ装置から大きいレンズ装置にレンズ装置を交換した際に、その大きいレンズ装置によってストロボ光がケラレるという問題があった。この問題を解消するために特許文献１のカメラでは、ストロボ光がケラレない大型のストロボ装置をカメラ本体に別途取り付けなければならず、また、外付けのストロボ装置においては、ストロボ光がケラレない大型のストロボ装置に交換しなければならなかった。すなわち、従来のストロボ装置では、レンズ装置の大きさに応じた大きさのストロボ装置が必要になるという欠点があった。
【０００５】
本発明は、このような事情に鑑みてなされたもので、レンズ交換式カメラのレンズ装置の大きさに応じて発光部を最適な位置に配置することができるストロボ装置を提供することを目的としている。
【課題を解決するための手段】
【０００６】
本発明は、前記目的を達成するために、カメラ本体に角度調整自在に連結されるとともに、一つの収納ケース内にある発光方向の異なる複数の発光部を備えたストロボ本体部を有することを特徴としている。
【０００７】
本発明は、前記目的を達成するために、カメラのストロボ取付部に取り付けられる基部と、前記基部にヒンジを介して傾動自在に連結されるとともに、一つの収納ケース内にある発光方向の異なる複数の発光部を備えたストロボ本体部とを有することを特徴としている。
【０００８】
請求項１、２に記載のストロボ装置は、ストロボ本体部が一つの収納ケース内に発光方向の異なる複数の発光部を備えているので、複数の発光部のうちレンズ装置にストロボ光がケラレない位置にある発光部を発光させることにより、レンズ装置の大きさに関係なく１台のストロボ装置で対応することができる。また、ストロボ本体部は、カメラ本体又は基部に対して角度調整自在に設けられているので、その発光部のストロボ光がケラレない位置にストロボ本体部を傾けて配置することができる。本発明の如く、発光方向の異なる複数の発光部を備えること、カメラ本体又は基部に対してストロボ本体部を角度調整自在に設けることにより、ストロボ光がケラレないための調整自由度が広がるので、レンズ交換式カメラのレンズ装置の大きさに応じて発光部を最適な位置に配置することができる。ストロボ本体部の傾動方向は、被写体に向いた方向でもよく、その方向に直交する方向でもよい。
【０００９】
請求項３に記載の発明は、請求項２に記載の発明において、前記一つの収納ケース内にある複数の発光部は、第１の発光部と第２の発光部とから構成され、第１の発光部の発光方向と第２の発光部の発光方向とが直交されていることを特徴としている。
【００１０】
請求項３に記載のストロボ装置によれば、ストロボ本体部を基部に対して起立させた姿勢の上面位置に第１の発光部を配置し、同じくストロボ本体部を起立させた姿勢の被写体側に向いた側面位置に第２の発光部を配置した形態であって、サイズの小さいレンズ装置をカメラに取り付けた場合においては、ストロボ本体部を倒伏させて第１の発光部を被写体に向ける。また、サイズの大きいレンズ装置に交換した際に、前記倒伏位置にある第１の発光部ではストロボ光がレンズ装置にケラレる場合には、ストロボ本体部を起立させて第２の発光部を被写体に向け、ストロボ光がレンズ装置にケラレないようにする。ストロボ本体部は、レンズ装置の大きさを考慮して予め長尺状に構成されており、ストロボ本体部を起立させた際に、第２の発光部は如何なる大きさのレンズ装置であってもストロボ光がレンズ装置にケラレることはない位置に配置されている。
【００１１】
請求項４に記載の発明は、請求項３に記載の発明において、前記第１の発光部、第２の発光部を選択的に発光させる選択手段が設けられていることを特徴としている。
【００１２】
請求項４に記載のストロボ装置によれば、選択手段によって第１の発光部、第２の発光部を選択的に発光させることにより、すなわち、撮影の際に被写体に向いている第１の発光部又は第２の発光部を発光させることにより、電源の節電化を図ることができる。
【００１３】
請求項５に記載の発明は、請求項３に記載の発明において、前記基部に対する前記ストロボ本体部の傾斜角度を検出するセンサと、前記センサによって検出された傾斜角度に基づいて前記第１の発光部及び／又は第２の発光部を発光させる制御部とが設けられていることを特徴としている。
【００１４】
請求項５のストロボ装置によれば、ストロボ本体部の傾斜角度に基づいて第１の発光部及び／又は第２の発光部を自動で発光させることができる。この場合、第１の発光部又は第２の発光部のうち一方のみを発光させることは言うまでもなく、また、傾斜角度によっては双方の発光部を発光させることが好ましい場合、例えばバウンス撮影時等の場合には第１の発光部及び第２の発光部を発光させてもよい。
【００１５】
請求項６に記載の発明は、請求項３、４又は５のうちいずれか一つに記載の発明において、前記第１の発光部及び第２の発光部の前面には、Ｌ字状に形成されたフレネルレンズ、又はＬ字状に配置されたフレネルレンズが設けられていることを特徴としている。
【００１６】
請求項６のストロボ装置によれば、ストロボ本体部を基部に対して起立させた姿勢の上面位置に第１の発光部を配置し、同じくストロボ本体部を起立させた姿勢の被写体側に向いた側面位置に第２の発光部を配置した形態である場合には、フレネルレンズを各々別々に設けるのではなく、フレネルレンズをＬ字状に形成又はＬ字状に配置することにより、フレネルレンズの組立性が向上する。すなわち、Ｌ字状に形成することにより一部品（フレネルレンズ）で二つの発光部に対応させることができる。
【００１７】
請求項７に記載の発明は、請求項１、２、３、４、５又は６のうちいずれか一つに記載の発明において、通常撮影とバウンス撮影とを切り換える切換手段が設けられていることを特徴としている。
【００１８】
請求項７のストロボ装置によれば、通常撮影はもとよりバウンス撮影時における好適なストロボ光の照射を行うことができる。バウンス撮影に切り換えた場合、ストロボ本体部を基部に対して被写体側に所定角度傾斜させ、ストロボ本体部の上面に位置する第１の発光部を天井に向けて発光させればよい。またこの時、ストロボ本体部の被写体側に向いた側面に位置する第２の発光部も発光させてもよい。更にまた、ストロボ本体部を基部に対して被写体側に所定角度傾斜させた際に、切換手段が撮影モードを通常撮影からバウンス撮影に自動で切り換えるようにしてもよい。
【発明の効果】
【００１９】
以上説明したように本発明に係るストロボ装置によれば、カメラ本体又は基部に対してストロボ本体部を角度調整自在に設けるとともに発光方向の異なる複数の発光部を備えたので、レンズ交換式カメラのレンズ装置の大きさに応じて発光部を最適な位置に配置することができる。
【発明を実施するための最良の形態】
【００２０】
以下添付図面に従って、本発明に係るストロボ装置の好ましい実施の形態について詳説する。
【００２１】
図１は、サイズの小さいレンズ装置１２が装着されたレンズ交換式カメラのカメラ本体１４に実施の形態のストロボ装置１０が取り付けられた際の使用形態を示す一部断面図であり、図２は、サイズの大きいレンズ装置１６が装着されたカメラ本体１４にストロボ装置１０が取り付けられた際の使用形態を示す一部断面図である。また、図３は、ストロボ装置１０の背面図である。
【００２２】
図１〜図３に示すようにストロボ装置１０は、カメラ本体１２の上面に形成されたホットシュー（ストロボ取付部）１８に取り付けられる箱型の基部２０と、基部２０の側部にヒンジ２２を介して傾動自在（角度調整自在）に連結された箱型のストロボ本体部２４とから構成されている。なお、ストロボ本体部２４をカメラ本体１２に直接ヒンジを介して傾動自在に取り付けてもよい。
【００２３】
図３の如く基部２０は、その下部にねじ棒２６が下方に向けて延設され、ねじ棒２６にはホットシュー１８に嵌合されるプレート２８と、プレート２８との間でホットシュー１８を挟圧保持するナット３０とが設けられている。プレート２８をホットシュー１８に嵌合させ、ナット３０によってホットシュー１８を挟圧保持することにより、ストロボ装置１０がカメラ本体１４に固定されるとともに、ホットシュー１８に設けられた接片（不図示）と基部２０側に設けられたシンクロ接点３２（図４参照）とが導通される。これにより、カメラ本体１４のシャッタの開動作に連動してシンクロ接点３２がＯＮになり、ストロボ本体部２４の発光部が発光する。
【００２４】
ストロボ本体部２４は、一つの収納ケースとして構成されるとともに図１、図２の如くヒンジ２２によって被写体方向に傾動自在となっており、また、ヒンジ２２とストロボ本体部２４との間に生じている回動抵抗によって、所望の傾斜角度で保持されている。なお、ヒンジ２２にクリック機構を設け、このクリック機構によってストロボ本体部２４を所望の傾斜角度で保持させてもよい。
【００２５】
ストロボ本体部２４には、発光部である第１の放電管３４と第２の放電管３６とが配置される。放電管３４は、図２の如くストロボ本体部２４を基部２０に対して垂直方向に起立させた姿勢の上面位置に配置され、一方、放電管３６は、図２の姿勢において被写体側に向いた側面位置に配置されている。放電管３４、３６は近接配置されるとともに、放電管３４のリフレクタ３８によって、また放電管３６のリフレクタ４０によって、放電管３４の発光方向と放電管３６の発光方向とが直交されている。
【００２６】
更に、放電管３４、３６の発光方向前面には、Ｌ字状に形成されたフレネルレンズ４２が配置され、この一枚のフレネルレンズ４２を介して放電管３４、３６のストロボ光が被写体に向けて照射される。なお、一枚のフレネルレンズ４２に代えて、２枚の平板状フレネルレンズをＬ字状に配置して構成してもよい。すなわち、フレネルレンズ４２をＬ字状に形成することにより一部品（フレネルレンズ）で二つの放電管３４、３６に対応させることができる。また、２枚の平板状フレネルレンズをＬ字状に配置すれば、一方のフレネルレンズによって他方のフレネルレンズの抜け止め、脱落防止を兼ねることができる。
【００２７】
基部２０には、放電管３４、３６に電力を供給する充電式のバッテリ又は電池４４（図４参照）が装填されている。また、基部２０の背面には図３の如く、電源スイッチ４６、発光選択スイッチ（選択手段）４８、バウンス切換スイッチ（切換手段）５０、及びネオンランプ５２がそれぞれ所定の位置に配置されている。
【００２８】
図４に示すストロボ回路図によれば、電源スイッチ４６をＯＮにすると、電池４４から抵抗５４を介してメインコンデンサ５６に充電が開始され、規定の電圧まで充電されると、抵抗５７を介してネオンランプ５２が点灯する。また、この時、第１のトリガー回路５８のトリガーコンデンサ（不図示）及び第２のトリガー回路６０のトリガーコンデンサ（不図示）にもその容量に応じた電荷が充電される。
【００２９】
この充電状態において、カメラ本体１４のシャッタが切られると、シンクロ接点３２が閉じる。この時、発光選択スイッチ４８によって放電管３４が選択されている場合、トリガー制御部６２は、第１のトリガー回路５８のトリガーコンデンサに充填されていた電荷を第１のトリガー回路５８のトリガーコイル（不図示）に流し、トリガーコイルの二次側に高電圧を発生させる。この高電圧は、放電管３４の管壁に設けられたトリガー電極に加えられ、この結果、放電管３４内のクセノンガスが励起されて放電管３４内の抵抗が下がるので、メインコンデンサ５６に蓄えられた電荷による放電が放電管３４内で開始される。これにより、放電管３４が発光する。また、シンクロ接点３２が閉じた時に、発光選択スイッチ４８によって放電管３６が選択されている場合には、トリガー制御部６２は放電管３６が発光するように第２のトリガー回路６０を制御する。
【００３０】
一方、バウンス切換スイッチ５０がバウンス撮影側に切り換えられている場合、トリガー制御部６２は、バウンス切換スイッチ５０によるバウンス撮影を、発光選択スイッチ４８による選択よりも優先させてバウンス撮影を実行する。すなわち、トリガー制御部６２は、放電管３４、又は双方の放電管３４、３６を発光するように第１のトリガー回路５８、又は双方のトリガー回路５８、６０を制御する。
【００３１】
次に、前記の如く構成されたストロボ装置１０の作用について説明する。
【００３２】
まず、図１の如くサイズの小さいレンズ装置１２をカメラ本体１４に装着した場合は、ストロボ本体部２４を基部２０に対して水平方向に倒伏させて放電管３４を被写体に向ける。次に、電源スイッチ４６をＯＮにするとともに、発光選択スイッチ４８をＮｏ．１（放電管３４）側に設定する。なお、この時、バウンス切換スイッチ５０はＯＦＦ（通常撮影）側に予め切り換えておく。そして、ネオンランプ５２が点灯した後、カメラ本体１４のシャッターを切る。これにより、放電管３４のみが発光し、放電管３４のストロボ光がレンズ装置１２にケラレることなく被写体に照射される。
【００３３】
ところで、図２の如くサイズの大きいレンズ装置１６をカメラ本体１４に装着した場合であって、図１の倒伏位置にある放電管３４ではストロボ光がレンズ装置１６にケラレる場合には、ストロボ本体部２４を図２の如く起立させて放電管３６を被写体に向け、放電管３６のストロボ光がレンズ装置１６にケラレないようにする。次に、電源スイッチ４６をＯＮにするとともに、発光選択スイッチ４８をＮｏ．２（放電管３６）側に設定する。なお、この時、バウンス切換スイッチ５０はＯＦＦ側（通常撮影側）に予め切り換えておく。そして、ネオンランプ５２が点灯した後、カメラ本体１４のシャッターを切る。これにより、放電管３６のみが発光し、放電管３６のストロボ光がレンズ装置１６にケラレることなく被写体に照射される。
【００３４】
一方、バウンス撮影を行う場合には、バウンス切換スイッチ５０をＯＮ（バウンス撮影）側に切り換える。そして、図５の如くストロボ本体部２４を基部２０に対して被写体側に所定角度傾斜させ、ストロボ本体部２４の上面に位置する放電管３４を被写体の真上の天井に向ける。この後、シャッターを切ることにより放電管３４が発光し、天井によって反射されたストロボ光により被写体が照射されて撮影される。なお、バウンス撮影時に放電管３６を同時に発光させてもよい。また、図５に示したカメラ７０は、被写体像を撮影レンズを介して固体撮像素子に結像し、被写体像を電子データとして取得するデジタルカメラであり、符号７２はカメラ本体、符号７４はレンズ鏡胴、符号７６はフォーカスリング、符号７８は電子ビューファインダ、符号８０はスピーカ、符号８２はポップアップ式ストロボ、符号８４はストロボのポップアップボタンである。
【００３５】
このように実施の形態のストロボ装置１０によれば、発光方向の異なる二つの放電管３４、３６を備えているので、放電管３４、３６のうちレンズ装置１２、１６にストロボ光がケラレない位置にある放電管３４、３６を発光させることにより、レンズ装置１２、１６の大きさに関係なく１台のストロボ装置１０で対応することができる。
【００３６】
また、ストロボ本体部２４は、基部２０に対して傾動自在に設けられているので、その放電管３４、３６のストロボ光がケラレない位置にストロボ本体部２４を傾けて配置することができる。以上の如く、発光方向の異なる放電管３４、３６を備えること、基部２０に対してストロボ本体部２４を傾動自在に設けることにより、ストロボ光がケラレないための調整自由度が広がるので、レンズ交換式カメラのレンズ装置１２、１６の大きさに応じて放電管３４、３６を最適な位置に配置することができる。
【００３７】
また、ストロボ装置１０によれば、発光する放電管を選択するための発光選択スイッチ４８を備えたので、撮影の際に被写体に向いている放電管３４又は放電管３６を発光させることができる。これにより、電池４４の節電化を図ることができる。
【００３８】
更に、ストロボ装置１０によれば、フレネルレンズを各々別々に設けるのではなく、フレネルレンズ４２をＬ字状に形成又はＬ字状に配置したので、ストロボ本体部２４に対するフレネルレンズ４２の組立性が向上する。
【００３９】
図６、図７は、バウンス撮影を自動で切り換えるように構成したストロボ装置１０の側断面図である。
【００４０】
同図によれば、基部２０に対するストロボ本体部２４のバウンス撮影に好適な傾斜角度を検出するマイクロスイッチ（センサ）６４と、マイクロスイッチ６４がＯＮになった際に放電管３４及び／又は放電管３６を発光させるトリガー制御部（図４参照：制御部）６２とが設けられている。また、マイクロスイッチ６４をＯＮ−ＯＦＦする押圧片６６がヒンジ２２に固定されている。
【００４１】
このストロボ装置１０によれば、ストロボ本体部２４を傾動させて押圧片６６によりマイクロスイッチ６４を図７の如くＯＮにすれば、通常撮影からバウンス撮影に撮影モードが自動的に切り替わる。この後、ストロボ本体部２４を更に傾動させれば押圧片６６がマイクロスイッチ６４から退避し、マイクロスイッチ６４がＯＦＦになるのでバウンス撮影から通常撮影に撮影モードが自動的に切り替わる。
【００４２】
なお、実施の形態のストロボ装置１０では、二本の放電管３４、３６を有する例について述べたが、放電管の本数は２本に限定されるものではなく、発光方向の異なる３本以上の放電管を備え、それらの放電管の発光を発光選択スイッチやストロボ本体部の傾斜角度を検出するセンサ等からの情報に基づいて各々制御するようにしてもよい。
【図面の簡単な説明】
【００４３】
【図１】サイズの小さいレンズ装置に対する使用形態を示すストロボ装置の一部断面図
【図２】サイズの大きいレンズ装置に対する使用形態を示すストロボ装置の一部断面図
【図３】ストロボ装置の背面図
【図４】ストロボ装置の回路図
【図５】バウンス撮影時のストロボ本体部の傾斜姿勢を示した側断面図
【図６】バウンス撮影切換スイッチを備えたストロボ本体部の側断面図
【図７】バウンス撮影切換スイッチがＯＮされたストロボ本体部の側断面図
【符号の説明】
【００４４】
１０…ストロボ装置、１２…レンズ装置、１４…カメラ本体、１６…レンズ装置、２０…基部、２２…ヒンジ、２４…ストロボ本体部、３２…シンクロ接点、３４、３６…放電管、３８、４０…リフレクタ、４２…フレネルレンズ、４４…電池、４６…電源スイッチ、４８…発光選択スイッチ、５０…バウンス切換スイッチ、５２…ネオンランプ、５６…メインコンデンサ、５８…第１のトリガー回路、６０…第２のトリガー回路、６２…トリガー制御部、６４…マイクロスイッチ
【図１】
2006171192.tif 000003
【図２】
2006171192.tif 000004
【図３】
2006171192.tif 000005
【図４】
2006171192.tif 000006
【図５】
2006171192.tif 000007
【図６】
2006171192.tif 000008
【図７】
2006171192.tif 000009